(57)【要約】【課題】  本発明は、合焦処理の精度を向上できると共に低消費電力化が可能で、且つ、レリーズタイムラグの短縮が可能な高性能のカメラの像ブレ補正システムを提供すること。【解決手段】  カメラの像ブレを検出可能な像ブレ検出部１２と、この像ブレ検出部１２の像ブレ検出結果に基づいて像ブレ補正可能な像ブレ補正部１３と、合焦の可否を検出可能な合焦検出部１１とを備え、合焦検出部１１によって合焦処理が完了したことを検出後に、像ブレ検出部１２が検出する像ブレ量に対応して、像ブレ補正部１３を駆動して像ブレを補正するようにした。【選択図】        図２
2006308948.tif 000002
【特許請求の範囲】
【請求項１】
撮影時に発生する像ブレを検出可能な像ブレ検出部と、この像ブレ検出部の像ブレ検出結果に基づいて像ブレ補正が可能な像ブレ補正部と、合焦処理の結果を検出可能な合焦検出部とを備え、
前記合焦検出部によって適正な合焦処理が完了したことを検出後すみやかに、前記像ブレ検出部が検出する像ブレ量に対応して、前記像ブレ補正部を駆動して前記像ブレ補正を行うことを特徴とするカメラの像ブレ補正システム。
【請求項２】
前記像ブレ補正部が前記像ブレ補正を開始後、撮影動作を開始するための撮影開始操作に応じて、前記像ブレ補正部による前記像ブレ補正が完了すると、露光が開始されることを特徴とする請求項１、または２記載のカメラの像ブレ補正システム。
【発明の詳細な説明】
【技術分野】
【０００１】
本発明は、カメラの像ブレ補正システムに係わり、カメラの手ブレ等により発生する像ブレを補正するカメラの像ブレ補正システム関する。
【背景技術】
【０００２】
従来から、手ブレ等により発生する像ブレを補正するためのカメラの像ブレ補正システムが各種提案されている。
これら各種提案されている従来の像ブレシステムを特許文献１〜４で概略説明すると、特許文献１（特公平０７−１１７６７６号）においては、例えばレリーズ釦を半押しする撮影準備操作で、合焦処理と像ブレ補正とが開始されることが開示されている。
また、特許文献２（特許番号第２７５２０７３号）においては、レリーズ釦を半押しする撮影準備操作に応じて、像ブレ補正を開始することが開示されており、更に、特許文献２には、撮影動作を開始するための撮影開始操作とは異なる所定操作で像ブレ補正が開始されることが開示されている。
【０００３】
また、特許文献３（特許番号第３４４５３３４号）においては、露光開始指示に応じて像ブレ補正を開始し、像ブレ量に応じた所定時間経過後に露光が開始されることが開示されている。
また、特許文献４（特許番号第３５９０８１５号）においては、撮影準備処理を行う撮影準備操作の開始から、予め設定している所定時間内で合焦処理及び像ブレ検出を行い、前記所定時間経過後に像ブレ補正が開始されることが開示されている。
このような従来のカメラの像ブレ補正システムによって、撮影時に手ブレ等により発生する像ブレを適正に補正するようになっている。
【特許文献１】特公平０７−１１７６７６号公報
【特許文献２】特許番号第２７５２０７３号公報
【特許文献３】特許番号第３４４５３３４号公報
【特許文献４】特許番号第３５９０８１５号公報
【発明の開示】
【発明が解決しようとする課題】
【０００４】
しかし、前述したような従来のカメラの像ブレ補正システムの特許文献１は、像ブレ補正中に同時に合焦処理も行う。そのために、像ブレ補正中は、補正レンズを移動させるためにアクチュエータを駆動させているので、合焦処理の精度が劣るおそれがあると共に、消費電力量のピーク値が多くなる問題があった。
また、特許文献２は、撮影準備操作に応じて像ブレ補正を行うので、この像ブレ補正時に合焦処理を行うと、特許文献１と同様に合焦処理の精度が劣るおそれがある。
更に、特許文献２は、撮影開始操作とは異なる所定操作で像ブレ補正を行っており、撮影準備操作開始までの期間も像ブレ補正を行っているために、消費電力が多くなる問題がある。
また、特許文献３は、露光開始指示に応じて像ブレ補正が開始されるので、露光開始指示を行っても、像ブレ補正期間は露光待機状態となり、レリーズ釦を押してから実際に露光開始までに掛かる時間であるレリーズタイムラグが長くなる問題がある。
【０００５】
また、特許文献４は、撮影準備操作の開始から予め設定した所定時間を経過しないと、像ブレ補正が開始されない。そのために、予め設定した所定時間より速く合焦処理が完了しても、所定時間経過するまで像ブレ補正の開始を待機していなければいけないので、レリーズタイムラグが長くなる問題があった。
本発明は前述のような課題を解決し、合焦処理の精度を向上できると共に低消費電力化が可能で、且つ、レリーズタイムラグの短縮が可能な高性能のカメラの像ブレ補正システムを提供することを目的とする。
【課題を解決するための手段】
【０００６】
上記課題を解決するための第１の解決手段として本発明のカメラの像ブレ補正システムは、撮影時に発生する像ブレを検出可能な像ブレ検出部と、この像ブレ検出部の像ブレ検出結果に基づいて像ブレ補正が可能な像ブレ補正部と、合焦処理の結果を検出可能な合焦検出部とを備え、
前記合焦検出部によって適正な合焦処理が完了したことを検出後すみやかに、前記像ブレ検出部が検出する像ブレ量に対応して、前記像ブレ補正部を駆動して前記像ブレ補正を行うことを特徴とする。
また、上記課題を解決するための第２の解決手段として、前記像ブレ補正部が前記像ブレ補正を開始後、撮影動作を開始するための撮影開始操作に応じて、前記像ブレ補正部による前記像ブレ補正が完了すると、露光が開始されることを特徴とする。
【発明の効果】
【０００７】
本発明の像ブレ補正システムは、合焦検出部によって適正な合焦処理が完了したことを検出後に、像ブレ検出部が検出する像ブレ量に対応して、像ブレ補正部を駆動して像ブレを補正するので、像ブレ補正時に像ブレ補正部のアクチュエータの駆動でカメラ側に微細な振動等が発生しても、既に合焦処理が完了しており、合焦の精度が劣化するのを防止できる。
更に、本発明は合焦処理後に像ブレ補正を行うので、ピーク時の消費電力量を少なくできる。
【０００８】
また、像ブレ補正部が像ブレ補正を開始後、撮影動作を開始するための撮影開始操作に応じて、像ブレ補正部による像ブレ補正が完了すると露光が開始されるので、レリーズタイムラグを短くでき、撮影時間を短縮できる。
【発明を実施するための最良の形態】
【０００９】
以下、本発明に関する像ブレ補正システムの実施の形態を図１、図２に基づいて説明する。図１は本発明に係わるカメラの概略構成を説明するブロック図であり、図２は本発明の像ブレ補正の手順を説明するフローチャートである。
まず、本発明の像ブレ補正システムを搭載したカメラ、例えばデジタルカメラの概略構成は、図１に示すように、カメラ内にはカメラ側の制御を司るＭＰＵ（マイクロプロセッシングユニット）１が配設され、このＭＰＵ１からの信号によりレンズ駆動部２のアクチュエータが駆動してレンズ鏡筒に支持されたレンズ３が光軸Ａ方向に移動するようになっている。
【００１０】
また、レンズ３を介してカメラ内部に入った光は、撮像素子（ＣＣＤ）４に電荷として蓄積されて信号処理部５から画像信号が出力されてＭＰＵ１に入力される。そして、ＭＰＵ１に入力された画像信号は、画像処理部６で処理され、例えば被写体の明るさ等が適正かどうかの判断がされる。
また、表示部７には被写体が映し出されて、ピント、あるいは被写体の明るさ等がモニターできるようになっている。
【００１１】
また、ＭＰＵ１には、撮影時の被写体の光量を測定するための測光部８が接続され、この測光部８で測光した光量に対応した信号がＭＰＵ１から露出制御部９に出力され、絞り、あるいはシャッタ速度等を制御して適正な露出に制御されるようになっている。
また、測光部８での測光結果が、露出制御部９で露出を制御しても、自然光では撮影できない暗さでの場合は、フラッシュ部１０が作動して被写体を照光するようになっている。
【００１２】
また、合焦検出部１１では、撮像素子４上に結像される被写体の投影像が合焦状態にあるかどうかを検出し、この検出結果がレンズ駆動部２にフィードバックされる。そして、撮像素子４上の投影像が合焦状態にない場合は、レンズ駆動部２のアクチュエータを駆動してレンズ３を支持するレンズ鏡筒を光軸Ａ方向に移動させて合焦処理を行うようになっている。
また、像ブレ検出部１２では、撮影者の手ブレ等で、光軸Ａに対して像ブレしているかどうかを検出し、像ブレしている場合は、像ブレ補正部１３にフィードバックされて像ブレ補正部１３のアクチュエータを駆動し、補正レンズ（図示せず）を光軸Ａに対して直交する平面内で移動させて像ブレ補正するようになっている。
【００１３】
前述したような概略構成のカメラの像ブレ補正の手順を、図２に示すフローチャートで説明すると、まず、電源をＯＮしてスタートすると、ＭＰＵ１の初期化処理が行われる。
そして、レリーズ操作により、例えば２段押し操作可能なレリーズ釦を、最初の１段目を押圧操作（半押し）して撮影準備操作が行われると、像ブレ検出部１２によりブレ検出が開始される。
その後、測光部８による測光処理が行われてＡＥ演算（露光量演算）により適正な露光留押ｇあ演算される。図２のフローチャートでは、ブレ検出開始後に測光処理を行うようになっているが、像ブレ検出部１２による像ブレ検出と同時に測光処理を行うようにしたものでも良い。
即ち、像ブレ検出部による像ブレの検出は、測光処理前、または測光処理中に行われるようになっている。
【００１４】
次ぎに、測光処理後、合焦検出が可能な範囲にある場合は、合焦処理が行われる。
この合焦処理は、レンズ駆動部２の駆動でレンズ鏡筒に指示したレンズ３を光軸Ａ方向に移動させて、撮像素子４上の投影像の合焦を行うことができる。
そして、合焦処理が完了すると、像ブレ検出部１２で検出した像ブレ検出結果（像ブレ量）が像ブレ補正部１３にフィードバックされ、像ブレ量に対応してブレ補正が開始される。
【００１５】
ブレ補正を開始し像ブレ補正部１３が手ブレに追従後、表示部７に撮影準備完了表示がなされ、レリーズ釦の２段目を押圧操作して撮影開始操作を行う。
また、像ブレ補正部１３が手ブレに追従前に撮影開始操作が行われた場合、像ブレ補正部１３が手ブレに追従後、自動的に露光が開始されて撮影が行われる。
また、被写体の明るさが撮影に不適な暗い場合には、フラッシュ部が閃光して適正な撮影が行われる。
尚、本発明の実施の形態では、撮影開始操作を、ブレ補正開始後で説明したが、合焦完了後に行うようにして、撮影開始操作を行うとブレ補正が行われるものでも良い。
【００１６】
このような本発明のカメラの像ブレ補正システムは、合焦検出部１１によって適正な合焦処理が完了したことを検出後に、像ブレ検出部１２が検出する像ブレ量に対応して、像ブレ補正部１３を駆動して像ブレ補正するようになっているので、像ブレ補正時に像ブレ補正部１３のアクチュエータの駆動でカメラ側に微細な振動等が発生しても、合焦処理で行った合焦の精度が劣化するのを防止できる。
【００１７】
更に、本発明は、像ブレ補正部１３が像ブレ補正を開始後、撮影動作を開始するための撮影開始操作を行い、像ブレ補正部１３が手ブレに追従後に露光が開始されるので、従来のような、露光開始指示に応じて像ブレ補正を行ったり、撮影準備操作の開始から予め設定した所定時間経過してから像ブレ補正を行うものよりレリーズタイムラグを短くでき、撮影時間を短縮できる。
【図面の簡単な説明】
【００１８】
【図１】本発明に係わるカメラの概略構成を説明するブロック図である。
【図２】本発明の像ブレ補正の手順を説明するフローチャートである。
【符号の説明】
【００１９】
１  ＭＰＵ
２  レンズ駆動部
３  レンズ
４  撮像素子
５  信号処理部
６  画像処理部
７  表示部
８  測光部
９  露出制御部
１０  フラッシュ部
１１  合焦検出部
１２  像ブレ検出部
１３  像ブレ補正部
【図１】
2006308948.tif 000003
【図２】
2006308948.tif 000004